(57)【要約】【課題】本願が開示する技術は、一つの側面として、カバーを小型化することを目的とする。【解決手段】気温測定装置３０は、上側カバー部材５０と、波形形状の筒状カバー部４２と、温度計測部６０Ａと、を備える。筒状カバー部４２は、上側カバー部材５０の下方に間隔Ｓを空けて配置される。温度計測部６０Ａは、前記筒状カバー部４２の筒の中心軸Ｃ付近に上部の間隔Ｓを通して直射日光が当たらない位置に設置される。【選択図】図３
2019074338.tif 000002
【特許請求の範囲】
【請求項１】
上側カバー部と、
波形形状の筒状カバー部と、
温度計測部と、
を備え、
前記筒状カバー部は、前記上側カバー部の下方に間隔を空けて配置され、
前記温度計測部は、前記筒状カバー部の筒の中心軸付近に上部の前記間隔を通して直射日光が当たらない位置に設置されることを特徴とする気温測定装置。
【請求項２】
前記筒状カバー部の下端部から外側へ張り出す下側カバー部を備え、
前記温度計測部は、前記上側カバー部の中央部から前記筒状カバー部の前記中心軸に沿って下方へ離れ、前記筒状カバー部内に配置されることを特徴とする請求項１に記載の気温測定装置。
【請求項３】
前記上側カバー部の上側から該上側カバー部の中央部を貫通し、前記温度計測部に接続される配線を備えることを特徴とする請求項１又は請求項２に記載の気温測定装置。
【請求項４】
前記上側カバー部に接続される吊り下げる吊り材を備え、
前記気温測定装置は、前記吊り材によって測定対象位置に吊り下げられることを特徴とする請求項１〜請求項３の何れか１項に記載の気温測定装置。
【発明の詳細な説明】
【技術分野】
【０００１】
本願が開示する技術は、気温測定装置に関する。
【背景技術】
【０００２】
気温を計測する温度計測部と、温度計測部を覆い、温度計測部への日射を遮る筒状カバーとを備える気温測定装置がある（例えば、特許文献１，２参照）。
【先行技術文献】
【特許文献】
【０００３】
【特許文献１】特開２０１６−１７３２６１号公報
【特許文献２】特開２０００−３０４８７１号公報
【発明の概要】
【発明が解決しようとする課題】
【０００４】
ところで、筒状カバーが日射を受けると、筒状カバー自体の温度が上昇し、筒状カバーの内周面から温度計測部に向けて熱（放射熱）が放射される。この放射熱により、温度計測部で計測される気温が高くなる可能性がある。
【０００５】
この対策として、例えば、筒状カバーの直径を大きくし、筒状カバーの内周面と温度計測部との間隔を広げることが考えられる。この場合、筒状カバーの内周面から温度計測部に放射される放射熱が低減される。この結果、温度計測部で計測される気温と実際の気温との間の誤差が低減される。
【０００６】
しかしながら、筒状カバーの直径を大きくすると、筒状カバーの設置場所が制限される可能性がある。
【０００７】
本願が開示する技術は、一つの側面として、カバーを小型化することを目的とする。
【課題を解決するための手段】
【０００８】
本願が開示する技術では、気温測定装置は、上側カバー部と、波形形状の筒状カバー部と、温度計測部と、を備える。筒状カバー部は、上側カバー部の下方に間隔を空けて配置される。温度計測部は、前記筒状カバー部の筒の中心軸付近に上部の前記間隔を通して直射日光が当たらない位置に設置される。
【発明の効果】
【０００９】
本願が開示する技術によれば、一つの側面として、カバーを小型化することができる。
【図面の簡単な説明】
【００１０】
【図１】図１は、一実施形態に係る気温測定装置が設置されたビニールハウスを示す断面図である。
【図２】図２は、図１に示される気温測定装置の斜視図である。
【図３】図３は、図２に示される気温測定装置の縦断面図である。
【図４】図４は、図３に示される筒状カバー部の拡大断面図である。
【図５Ａ】図５Ａは、図２に示される筒状カバー部を模式的に示す斜視図である。
【図５Ｂ】図５Ｂは、図５Ａに示される筒状カバー部の縦断面図である。
【図６】図６は、図１に示される気温測定装置の変形例を部分的に示す斜視図である。
【図７】図７は、図６に示される気温測定装置の平断面図である。
【図８Ａ】図８Ａは、筒状カバー部の変形例を示す断面図である。
【図８Ｂ】図８Ｂは、筒状カバー部の変形例を示す断面図である。
【図８Ｃ】図８Ｃは、筒状カバー部の変形例を示す断面図である。
【図９】図９は、気温計測実験で用いた実施例に係る気温測定装置を示す縦断面図である。
【図１０】図１０は、気温計測実験の結果を示すグラフである。
【発明を実施するための形態】
【００１１】
以下、本願が開示する技術の一実施形態について説明する。
【００１２】
（気温測定装置）
図１に示されるように、本実施形態に係る気温測定装置３０は、自然通風式（ファンレス式）の気温測定装置とされる。この気温測定装置３０は、例えば、ビニールハウス１０内の気温を計測する気温測定装置とされる。ビニールハウス１０は、地面２２に立てられる複数の柱１２と、複数の柱１２に架設される複数の梁１４と、柱１２及び梁１４に張り渡されるビニールシート１６とを備える。
【００１３】
気温測定装置３０は、ビニールハウス１０内の上部に設けられた支持部材１８から吊り下げられる。そして、気温測定装置３０は、ビニールハウス１０内で栽培される植物２０の上方に配置され、植物２０の上方の空気の温度（気温）を計測する。なお、以下では、気温測定装置３０が設置される位置を測定対象位置という。この気温測定装置３０は、筒状カバー部材４０と、上側カバー部材５０と、温度計測器６０とを備える。
【００１４】
（筒状カバー部材）
図２に示されるように、筒状カバー部材４０は、例えば、熱伝導率が高いアルミニウム板によって形成される。つまり、筒状カバー部材４０は、アルミニウム製とされる。この筒状カバー部材４０は、筒状カバー部４２と、上側フランジ部４４と、下側フランジ部４６と、複数の連結フレーム４８とを有する。
【００１５】
筒状カバー部４２は、上下が開口された円筒状に形成される。この筒状カバー部４２は、気温測定装置３０の高さ方向（矢印Ｈ方向）を、筒の軸方向（筒の中心軸Ｃの方向）として配置される。図３に示されるように、筒状カバー部４２は、上側開口４２Ｕ及び下側開口４２Ｌを有する。
【００１６】
上側開口４２Ｕは、筒状カバー部４２の上端部に形成される。この上側開口４２Ｕは、筒状カバー部４２内に通じる円形状の開口とされる。一方、下側開口４２Ｌは、筒状カバー部４２の下端部に形成される。この下側開口４２Ｌは、筒状カバー部４２内に通じる円形状の開口とされる。
【００１７】
筒状カバー部４２の上端部には、上側フランジ部４４が設けられる。上側フランジ部４４は、筒状カバー部４２の上端部から外側へ鍔状に張り出す。この上側フランジ部４４は、筒状カバー部４２を上側から見て、矩形状に形成される。
【００１８】
筒状カバー部４２の下端部には、下側フランジ部４６が設けられる。下側フランジ部４６は、筒状カバー部４２の下端部から外側へ鍔状に張り出す。この下側フランジ部４６は、筒状カバー部４２を上側から見て、矩形状に形成される。図２に示されるように、下側フランジ部４６と上側フランジ部４４とは、複数の連結フレーム４８によって連結される。なお、下側フランジ部４６は、下側カバー部の一例である。
【００１９】
複数の連結フレーム４８は、下側フランジ部４６の各角部に柱状に立てられる。この連結フレーム４８の下端部は、下側フランジ部４６の角部に接合される。一方、連結フレーム４８の上端部は、上側フランジ部４４の角部に接合される。これらの連結フレーム４８によって、下側フランジ部４６と上側フランジ部４４との相対変位が制限される。この結果、筒状カバー部４２の変形が抑制される。
【００２０】
（上側カバー部材）
筒状カバー部材４０の上方には、筒状カバー部材４０の上側開口４２Ｕを覆う上側カバー部材（傘状カバー部材）５０が配置される。換言すると、筒状カバー部４２は、上側カバー部材の下方に間隔Ｓを空けて配置される。上側カバー部材５０は、金属板等によって形成される。また、上側カバー部材５０は、筒状カバー部４２を上側から見て、矩形状に形成される。この上側カバー部材５０は、複数のブラケット５２を介して筒状カバー部材４０の上側フランジ部４４に取り付けられる。なお、上側カバー部材５０は、上側カバー部の一例である。
【００２１】
複数のブラケット５２は、上側フランジ部４４の各角部に柱状に立てられる。また、各ブラケット５２の下端部は、上側フランジ部４４の角部に接合される。一方、各ブラケット５２の上端部は、上側カバー部材５０の角部に接合される。これらのブラケット５２によって、上側フランジ部４４と上側カバー部材５０とが連結される。
【００２２】
また、上側フランジ部４４と上側カバー部材５０との間には、複数のブラケット５２によって間隔（隙間）Ｓが確保される。これにより、筒状カバー部４２内の空気が、上側開口４２Ｕ及び間隔Ｓを介して気温測定装置３０の外部に排気される。また、上側カバー部材５０によって、上側開口４２Ｕから筒状カバー部４２内に水等が浸入することが抑制される。さらに、上側カバー部材５０によって、筒状カバー部４２内への日射が遮られる。
【００２３】
上側カバー部材５０の各角部には、吊り材５４が取り付けられる。各吊り材５４は、前述したビニールハウス１０内の支持部材１８（図１参照）に取り付けられる。これにより、図１に示されるように、気温測定装置３０が、支持部材１８から吊り下げられた状態で、測定対象位置に配置される。換言すると、気温測定装置３０は、吊り材５４によって測定対象位置に吊り下げられる。また、図３に示されるように、上側カバー部材５０の中央部には、温度計測器６０の配線６２が挿入される貫通孔５６が形成される。
【００２４】
（温度計測器）
温度計測器６０は、例えば、電気式温度計とされる。この温度計測器６０は、筒状カバー部４２の内周面４２Ａから離れた状態で、筒状カバー部４２内に配置される。また、温度計測器６０は、筒状カバー部４２を上側から見て、筒状カバー部４２の中央部に配置される。
【００２５】
温度計測器６０は、温度計測部（センサ部）６０Ａを有する。温度計測部６０Ａは、温度計測器６０の下端側に設けられる。この温度計測部６０Ａによって、筒状カバー部４２内の空気の温度が計測される。
【００２６】
温度計測部６０Ａは、筒状カバー部４２の筒の中心軸Ｃ付近に配置される。また、温度計測部６０Ａは、上側カバー部材５０の中央部から筒状カバー部４２の中心軸Ｃに沿って下方へ離れるとともに、筒状カバー部４２内に配置される。さらに、温度計測部６０Ａは、筒状カバー部４２と上側カバー部材５０との間隔Ｓを通して直射日光が当たらない位置に設置（配置）される。
【００２７】
温度計測器６０の上端部には、配線６２が接続される。配線６２は、前述した支持部材１８から吊り下げられており、上側カバー部材５０の上側から貫通孔５６を介して温度計測器６０の上端部に接続される。この配線６２は、固定具７０を介して上側カバー部材５０に固定される。
【００２８】
なお、温度計測器６０及び配線６２は、筒状カバー部４２に対して位置ずれしないように、筒状カバー部材４０に適宜固定されても良い。
【００２９】
固定具７０は、配線６２に取り付けられるネジ部材７２と、ネジ部材７２を上側カバー部材５０に固定するナット７４とを有する。ネジ部材７２は、筒状に形成される。このネジ部材７２の内部には、ゴム等の弾性部材７６を介して配線６２が圧入される。これにより、配線６２にネジ部材７２が取り付けられる。このネジ部材７２の下端部には、ネジ部７２Ａが設けられる。
【００３０】
ネジ部７２Ａは、上側カバー部材５０の上側から貫通孔５６に挿入される。また、貫通孔５６に挿入されたネジ部７２Ａには、上側カバー部材５０の下側からナット７４が締め込まれる。これにより、ネジ部材７２が上側カバー部材５０に固定される。この結果、配線６２が、固定具７０を介して上側カバー部材５０に固定される。さらに、配線６２によって、温度計測器６０が上側カバー部材５０から吊り下げられる。
【００３１】
（筒状カバー部）
ここで、筒状カバー部４２の構成について詳説する。
【００３２】
図４に示されるように、筒状カバー部４２の縦断面形状は、波形形状とされる。この筒状カバー部４２は、筒状カバー部４２の高さ方向（軸方向）に交互に配置される複数の山部８０及び谷部８２を有する。
【００３３】
山部８０は、筒状カバー部４２の外側へ凸状を成す。この山部８０は、山折り部８０Ｔを有する。山折り部８０Ｔでは、筒状カバー部４２を形成する金属板が折り曲げられる。この山折り部８０Ｔによって、山部８０の強度（曲げ強度）が高められる。
【００３４】
谷部８２は、筒状カバー部４２の内側（中心側）へ凹状を成す。この谷部８２は、谷折り部８２Ｔを有する。谷折り部８２Ｔでは、筒状カバー部４２を形成する金属板が折り曲げられる。この谷折り部８２Ｔによって、谷部８２の強度（曲げ強度）が高められる。
【００３５】
（作用）
次に、本実施形態の作用について説明する。
【００３６】
本実施形態に係る気温測定装置３０によれば、図３に示されるように、筒状カバー部材４０の筒状カバー部４２によって、温度計測器６０の温度計測部６０Ａが覆われる。この筒状カバー部４２によって、温度計測部６０Ａへの日射が遮られる。これにより、温度計測部６０Ａに対する日射の影響が低減される。したがって、温度計測部６０Ａで計測されるビニールハウス１０内の気温の誤差が低減される。
【００３７】
また、筒状カバー部４２は、上側開口４２Ｕ及び下側開口４２Ｌを有する。これにより、筒状カバー部４２内の空気は、上側開口４２Ｕから間隔Ｓを介して筒状カバー部４２の外に排気される。一方、筒状カバー部４２内には、下側開口４２Ｌから外気が導入される。つまり、上側開口４２Ｕ及び下側開口４２Ｌによって、筒状カバー部４２内の空気が換気される。したがって、温度計測部６０Ａで計測されるビニールハウス１０内の気温の誤差がさらに低減される。
【００３８】
ところで、例えば日中では、筒状カバー部４２内の空気の温度は、筒状カバー部４２外の空気の温度よりも高くなり易い。この結果、温度計測部６０Ａによって計測される気温が、筒状カバー部４２外の気温よりも高くなる可能性がある。
【００３９】
これに対して本実施形態の筒状カバー部４２は、波形形状とされる。これにより、本実施形態では、平板状の筒状カバー部と比較して、筒状カバー部４２の表面積が大きくなる。この結果、筒状カバー部４２の熱抵抗が小さくなるため、筒状カバー部４２内の空気の温度を、筒状カバー部４２外の空気の温度に早期に追従させることができる。
【００４０】
具体的には、筒状カバー部４２の熱抵抗Ｒは、下記（１）から求められる。
【００４１】
Ｒ＝Ｌ／（Ａ×ｋ）  ・・・（１）
ただし、
Ｒ：筒状カバー部の熱抵抗
Ｌ：筒状カバー部の厚み
Ａ：筒状カバー部の表面積（＝ａ×ｂ）
ｋ：筒状カバー部の熱伝導率
である。
【００４２】
なお、図５Ａ及び図５Ｂには、筒状カバー部４２の厚みＬ又は表面積Ａが示される。ただし、図５Ａ及び図５Ｂでは、筒状カバー部４２が矩形の筒状に模式化されている。
【００４３】
上記式（１）によれば、筒状カバー部４２の熱抵抗Ｒは、筒状カバー部４２の表面積Ａに反比例する。つまり、筒状カバー部４２の熱抵抗Ｒは、筒状カバー部４２の表面積Ａが大きくなるに従って小さくなる。そして、筒状カバー部４２の熱抵抗Ｒが小さくなると、熱が筒状カバー部４２を流れ易くなり、筒状カバー部４２の内周面４２Ａの温度ＴＡ（図５Ｂ参照）と外周面４２Ｂの温度ＴＢ（図５Ｂ参照）との温度差（ＴＡ−ＴＢ）が低減される。この結果、筒状カバー部４２内の空気の温度と、筒状カバー部４２外の空気の温度との温度が低減される。
【００４４】
本実施形態では、前述したように、筒状カバー部４２が、波形形状とされる。これにより、本実施形態では、平板状の筒状カバー部と比較して、筒状カバー部４２の表面積Ａが大きくなるため、筒状カバー部４２の熱抵抗Ｒが小さくなる。したがって、筒状カバー部４２内の空気の温度と、筒状カバー部４２外の空気の温度との温度差を早期に低減することができる。換言すると、筒状カバー部４２内の空気の温度を、筒状カバー部４２外の空気の温度に早期に追従させることができる。
【００４５】
なお、例えば、筒状カバー部の直径を大きくしたり、筒状カバー部の軸方向の長さを長くしたりすることにより、筒状カバー部の表面積を大きくすることが考えられる。しかしながら、筒状カバー部の直径を大きくしたり、筒状カバー部の軸方向の長さを長くしたりすると、気温測定装置３０の設置場所が制限される可能性がある。また、筒状カバー部４２の影に植物２０が入り易くなり、植物２０の成長に悪影響を与える可能性がある。
【００４６】
これに対して本実施形態では、筒状カバー部４２は、波形形状とされる。これにより、筒状カバー部４２の直径及び軸方向の長さを長くせずに、筒状カバー部４２の表面積を増加することができる。したがって、本実施形態では、筒状カバー部４２を大きくせず、換言すると、筒状カバー部４２を小型化しつつ、温度計測部６０Ａによって計測される気温の誤差を低減することができる。
【００４７】
さらに、上記式（１）によれば、筒状カバー部４２の熱抵抗Ｒは、筒状カバー部４２の厚みＬに比例する。つまり、筒状カバー部４２の熱抵抗Ｒは、筒状カバー部４２の厚みＬが薄くなるに従って減少する。
【００４８】
ここで、筒状カバー部４２の厚みＬが薄くなると、筒状カバー部４２の強度が減少し、筒状カバー部４２の耐久性が低下する可能性がある。
【００４９】
これに対して本実施形態の筒状カバー部４２は、山折り部８０Ｔ及び谷折り部８２Ｔを有する。これらの山折り部８０Ｔ及び谷折り部８２Ｔによって、筒状カバー部４２の強度が確保される。これにより、本実施形態では、平板状の筒状カバー部と比較して、筒状カバー部４２の強度を確保しつつ、筒状カバー部４２の厚みＬを薄くすることができる。したがって、筒状カバー部４２の熱抵抗Ｒがさらに低減される。
【００５０】
さらに、本実施形態の筒状カバー部４２は、熱伝導率ｋが高いアルミニウム製とされる。したがって、筒状カバー部４２の熱抵抗Ｒがさらに低減される。
【００５１】
次に、筒状カバー部４２が日射を受けると、筒状カバー部４２自体の温度が上昇し、筒状カバー部４２の内周面４２Ａから温度計測部６０Ａに向けて熱（放射熱）が放射される。この放射熱によって、温度計測部６０Ａによって計測される気温が高くなる可能性がある。
【００５２】
この対策として、例えば、筒状カバー部４２の直径を大きくし、筒状カバー部４２の内周面４２Ａと温度計測部６０Ａとの間隔を広げることが考えられる。この場合、筒状カバー部４２の内周面４２Ａから温度計測部６０Ａに放射される放射熱が低減される。この結果、温度計測部６０Ａで計測されるビニールハウス１０内の気温の誤差が低減される。
【００５３】
しかしながら、前述したように、筒状カバー部４２の直径を大きくすると、気温測定装置３０の設置場所が制限される可能性がある。また、筒状カバー部４２の影に植物２０が入り易くなり、植物２０の成長に悪影響を与える可能性がある。
【００５４】
これに対して本実施形態の筒状カバー部４２は、波形形状とされる。これにより、日射による筒状カバー部４２の温度上昇が低減される。具体的には、日射による筒状カバー部４２の温度上昇ΔＴは、下記式（２）から求められる。
【００５５】
ΔＴ＝Ｑ×Ｒ        ・・・（２）
ただし、
ΔＴ：筒状カバー部の温度上昇
Ｑ  ：筒状カバー部に入射される熱量
Ｒ  ：筒状カバー部の熱抵抗（式（１）参照）
である。
【００５６】
ここで、上記式（１）及び式（２）によれば、日射による筒状カバー部４２の温度上昇ΔＴは、筒状カバー部４２の表面積Ａに反比例する。つまり、日射による筒状カバー部４２の温度上昇ΔＴは、筒状カバー部４２の表面積Ａが大きくなるに従って減少する。
【００５７】
本実施形態では、筒状カバー部４２は、波形形状とされる。これにより、本実施形態では、平板状の筒状カバー部と比較して、筒状カバー部４２の表面積が大きくなる。これにより、筒状カバー部４２の熱抵抗Ｒが小さくなるため、日射による筒状カバー部４２の温度上昇ΔＴが減少する。したがって、筒状カバー部４２の内周面４２Ａから温度計測部６０Ａに向けて放射される放射熱が減少する。この結果、温度計測部６０Ａによって計測される気温の誤差が低減される。
【００５８】
また、本実施形態では、筒状カバー部４２は、波形形状とされる。これにより、筒状カバー部４２の直径及び軸方向の長さを長くせずに、筒状カバー部４２の表面積を増加することができる。したがって、本実施形態では、筒状カバー部４２を大きくせず、換言すると、筒状カバー部４２を小型化しつつ、温度計測部６０Ａによって計測される気温の誤差を低減することができる。
【００５９】
さらに、上記式（１）及び式（２）によれば、日射による筒状カバー部４２の温度上昇ΔＴは、筒状カバー部４２の厚みＬに比例する。つまり、日射による筒状カバー部４２の温度上昇ΔＴは、筒状カバー部４２の厚みＬが薄くなるに従って減少する。
【００６０】
ここで、前述したように、筒状カバー部４２の厚みＬが薄くなると、筒状カバー部４２の強度が減少し、筒状カバー部４２の耐久性が低下する可能性がある。
【００６１】
これに対して本実施形態の筒状カバー部４２は、前述したように、山折り部８０Ｔ及び谷折り部８２Ｔを有する。これらの山折り部８０Ｔ及び谷折り部８２Ｔによって、筒状カバー部４２の強度が確保される。これにより、本実施形態では、平板状の筒状カバー部と比較して、筒状カバー部４２の強度を確保しつつ、筒状カバー部４２の厚みＬを薄くすることができる。したがって、日射による筒状カバー部４２の温度上昇ΔＴがさらに低減される。
【００６２】
さらに、本実施形態の筒状カバー部４２は、前述したように、熱伝導率ｋが高いアルミニウム製とされる。したがって、日射による筒状カバー部４２の温度上昇ΔＴがさらに低減される。
【００６３】
しかも、アルミニウムは、赤外線の反射性能に優れる。したがって、日射による筒状カバー部４２の温度上昇ΔＴがさらに低減される。
【００６４】
また、本実施形態の気温測定装置３０は、ファンを備えない自然通風式とされる。これにより、本実施形態では、ファンを備える強制通風式の気温測定装置と比較して、気温測定装置３０の小型化及び軽量化を図ることができる。
【００６５】
（変形例）
次に、上記実施形態の変形例について説明する。
【００６６】
上記実施形態では、筒状カバー部４２の縦断面形状が、波形形状とされる。しかしながら、図６及び図７に示される筒状カバー部材９０のように、筒状カバー部９２の横断面形状は、波形形状とされても良い。
【００６７】
具体的には、筒状カバー部９２は、当該筒状カバー部９２の周方向（矢印Ｋ方向）に交互に配置される複数の山部９４及び谷部９６を有する。この筒状カバー部材９０では、筒状カバー部９２が軸方向（矢印Ｈ方向）に伸長することが抑制される。
【００６８】
また、筒状カバー部４２の波形形状は、変更可能である。具体的には、図８Ａに示される筒状カバー部１００では、山部１０２及び谷部１０４が矩形状に形成される。この山部１０２は、２つの山折り部１０２Ｔを有する。また、谷部１０４は、２つの谷折り部１０４Ｔを有する。
【００６９】
また、図８Ｂに示される筒状カバー部１１０では、山部１１２及び谷部１１４が台形状に形成される。この山部１１２は、２つの山折り部１１２Ｔを有する。また、谷部１１４は、２つの谷折り部１１４Ｔを有する。
【００７０】
また、図８Ｃに示される筒状カバー部１２０では、山部１２２及び谷部１２４が曲線状に形成される。この山部１２２及び谷部１２４は、山折り部及び谷折り部を有していない。
【００７１】
また、上記実施形態では、筒状カバー部４２に、上側フランジ部４４、下側フランジ部４６、及び連結フレーム４８が設けられる。しかしながら、上側フランジ部４４、下側フランジ部４６、及び連結フレーム４８は、省略されても良い。
【００７２】
また、上記実施形態では、筒状カバー部４２の上方に上側カバー部材５０が設けられる。しかしながら、上側カバー部材５０は、省略されても良い。
【００７３】
また、上記実施形態では、筒状カバー部４２内に１つの温度計測器６０が設けられる。しかしながら、筒状カバー部４２内には、複数の温度計測器が設けられても良い。また、筒状カバー部４２内には、温度計測器及び湿度計測器が設けられても良い。
【００７４】
また、上記実施形態では、筒状カバー部４２がアルミニウム板によって形成される。しかしながら、筒状カバー部は、アルミニウム箔によって形成されても良い。また、筒状カバー部は、アルミニウムに限らず、例えば、熱伝導率が高い銅等によって形成されても良い。また、筒状カバー部は、他の金属板又は金属箔によって形成されても良い。つまり、筒状カバー部は、金属製とされても良い。
【００７５】
また、筒状カバー部は、日光が当たった際に「反射により」熱の蓄積が無いような材料で形成されても良い。また、筒状カバー部の材料としては、熱をためず、外から内側に熱が伝わらない丈夫な材質を用いることが好ましい。
【００７６】
また、筒状カバー部の形状が、温度計測部６０Ａに直接日光が当たらずに、かつ、対流を妨げない形状の場合、環境温度（ビニールハウス１０内の温度）の測定を正確に行うことができる。
【００７７】
また、上記実施形態では、気温測定装置３０が支持部材１８から吊り下げられる。しかしながら、気温測定装置３０の設置方法は、変更可能である。例えば、気温測定装置３０は、筒状カバー部４２内に通気可能な状態で設置台上に設置されても良い。
【００７８】
また、上記実施形態の気温測定装置３０は、自然通風式とされる。しかしながら、気温測定装置は、ファンを備える強制通風式とされても良い。
【００７９】
また、上記実施形態では、気温測定装置３０がビニールハウス１０内に設置される。しかしながら、気温測定装置３０は、ビニールハウス１０外（屋外）に設置されても良い。
【００８０】
（気温計測実験）
次に、気温計測実験について説明する。
【００８１】
本気温計測実験では、図９に示される実施例に係る気温測定装置１３０によってビニールハウス１０（図１参照）内の気温を計測し、ビニールハウス１０の基準気温と比較した。なお、ビニールハウス１０の基準気温は、気温測定装置１３０よりも高性能の気温測定装置（図示省略）によって計測した。
【００８２】
図９に示されるように、実施例に係る気温測定装置１３０は、筒状カバー部材１４０と、上側カバー部材１４４とを備える。筒状カバー部材１４０は、波形形状の筒状カバー部１４２を有する。
【００８３】
筒状カバー部１４２の外径は、１１０ｃｍである。また、筒状カバー部１４２の内径は、１０９ｃｍである。さらに、筒状カバー部１４２の軸方向の長さＨは、１２０ｃｍである。また、筒状カバー部１４２の波形の角度θ（図４参照）は、５５度である。さらに、筒状カバー部１４２は、アルミニウム製とされる。この筒状カバー部１４２の厚みＬは、０．０２である。
【００８４】
筒状カバー部１４２の内部には、温湿度計測器１５０及び温度計測器１５２が配置される。温湿度計測器１５０の温湿度計測部の全長（上下方向の長さ）は、８ｃｍである。また、温度計測器１５２の温度計測部の全長（上下方向の長さ）は、３ｃｍである。さらに、温湿度計測器１５０及び温度計測器１５２には、配線１５４がそれぞれ接続される。
【００８５】
上側カバー部材１４４は、アルミニウム製とされる。この上側カバー部材１４４は、一辺が１１０ｃｍの正方形である。また、上側カバー部材１４４と筒状カバー部材１４０との間隔Ｓは、３０ｃｍである。なお、上側カバー部材１４４は、上側カバー部の一例である。
【００８６】
図１０には、実施結果が示される。なお、グラフＧ０は、基準気温である。また、グラフＧ１５０は、温湿度計測器１５０による気温の計測結果である。さらに、グラフＧ１５２は、温度計測器１５２による気温の計測結果である。
【００８７】
図１０に示されるグラフＧ１５０，Ｇ１５２から分かるように、実施形態に係る気温測定装置１３０の温湿度計測器１５０及び温度計測器１５２で計測された気温が、基準気温に近似する。このことから、温湿度計測器１５０及び温度計測器１５２で計測される気温の誤差が低減されたことが確認された。
【００８８】
なお、図１０では、温湿度計測器１５０及び温度計測器１５２で計測された気温（Ｇ１５０，Ｇ１５２）よりも基準気温（グラフＧ０）が高くなった。これは、基準気温を計測した気温測定装置が、筒状カバー部材及び上側カバー部材によって覆われておらず、日射の影響を受けたためと考えられる。
【００８９】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００９０】
なお、以上の実施形態に関し、さらに以下の付記を開示する。
【００９１】
（付記１）
上側カバー部と、
波形形状の筒状カバー部と、
温度計測部と、
を備え、
前記筒状カバー部は、前記上側カバー部の下方に間隔を空けて配置され、
前記温度計測部は、前記筒状カバー部の筒の中心軸付近に上部の前記間隔を通して直射日光が当たらない位置に設置されることを特徴とする気温測定装置。
（付記２）
前記筒状カバー部の下端部から外側へ張り出す下側カバー部を備え、
前記温度計測部は、前記上側カバー部の中央部から前記筒状カバー部の前記中心軸に沿って下方へ離れ、前記筒状カバー部内に配置されることを特徴とする付記１に記載の気温測定装置。
（付記３）
前記上側カバー部の上側から該上側カバー部の中央部を貫通し、前記温度計測部に接続される配線を備えることを特徴とする付記１又は付記２に記載の気温測定装置。
（付記４）
前記上側カバー部に前記配線を固定する固定具を備えることを特徴とする付記３に記載の気温測定装置。
（付記５）
前記上側カバー部に接続される吊り下げる吊り材を備え、
前記気温測定装置は、前記吊り材によって測定対象位置に吊り下げられることを特徴とする付記１〜付記４の何れか１つに記載の気温測定装置。
（付記６）
前記筒状カバー部は、交互に配置される複数の山部及び谷部を有することを特徴とする
付記１〜付記４の何れか１つに記載の気温測定装置。
（付記７）
前記山部は、山折り部を有し、
前記谷部は、谷折り部を有することを特徴とする付記６に記載の気温測定装置。
（付記８）
前記山部及び前記谷部は、前記筒状カバー部の高さ方向に交互に配置されることを特徴とする付記６又は付記７に記載の気温測定装置。
（付記９）
前記筒状カバー部の縦断面形状が、波形形状を成すことを特徴とする付記８に記載の気温測定装置。
（付記１０）
前記山部及び前記谷部は、前記筒状カバー部の周方向に交互に配置されることを特徴とする付記６又は付記７に記載の気温測定装置。
（付記１１）
前記筒状カバー部の横断面形状が、波形形状を成すことを特徴とする付記１０に記載の気温測定装置。
（付記１２）
前記温度計測部は、前記筒状カバー部の内周面から離れた状態で該筒状カバー部内に配置されることを特徴とする付記１〜付記１１の何れか１つに記載の気温測定装置。
（付記１３）
前記温度計測部は、前記筒状カバー部を上側から見て、該筒状カバー部の中央部に配置されることを特徴とする付記１〜付記１２の何れか１つに記載の気温測定装置。
（付記１４）
前記筒状カバー部は、熱伝導性を有することを特徴とする付記１〜付記１３の何れか１つに記載の気温測定装置。
（付記１５）
前記筒状カバー部は、金属製とされることを特徴とする付記１〜付記１４の何れか１つに記載の気温測定装置。
（付記１６）
前記筒状カバー部は、金属板製とされることを特徴とする付記１〜付記１５の何れか１つに記載の気温測定装置。
（付記１７）
前記筒状カバー部は、金属箔製とされることを特徴とする付記１〜付記１６の何れか１つに記載の気温測定装置。
（付記１８）
前記筒状カバー部は、アルミニウム製とされることを特徴とする付記１〜付記１７の何れか１つに記載の気温測定装置。
（付記１９）
気温を計測する温度計測部を覆う波形形状の筒状カバー部を備えることを特徴とする筒状カバー部材。
【符号の説明】
【００９２】
３０      気温測定装置
４０      筒状カバー部材
４２      筒状カバー部
４２Ｌ    下側開口
４２Ｕ    上側開口
４６      下側フランジ部（下側カバー部の一例）
５０      上側カバー部材（上側カバー部の一例）
５４      吊り材
５６      貫通孔
６０Ａ    温度計測部
６２      配線
７０      固定具
８０      山部
８０Ｔ    山折り部
８２      谷部
８２Ｔ    谷折り部
９０      筒状カバー部材
９２      筒状カバー部
９４      山部
９６      谷部
１００    筒状カバー部
１０２    山部
１０２Ｔ  山折り部
１０４    谷部
１０４Ｔ  谷折り部
１１０    筒状カバー部
１１２    山部
１１２Ｔ  山折り部
１１４    谷部
１１４Ｔ  谷折り部
１２０    筒状カバー部
１２２    山部
１２４    谷部
１３０    気温測定装置
１４０    筒状カバー部材
１４２    筒状カバー部
１４４    上側カバー部材（上側カバー部の一例）
Ｈ        筒状カバー部の高さ方向
Ｒ        筒状カバー部材の周方向
【図１】
2019074338.tif 000003
【図２】
2019074338.tif 000004
【図３】
2019074338.tif 000005
【図４】
2019074338.tif 000006
【図５Ａ】
2019074338.tif 000007
【図５Ｂ】
2019074338.tif 000008
【図６】
2019074338.tif 000009
【図７】
2019074338.tif 000010
【図８Ａ】
2019074338.tif 000011
【図８Ｂ】
2019074338.tif 000012
【図８Ｃ】
2019074338.tif 000013
【図９】
2019074338.tif 000014
【図１０】
2019074338.tif 000015